(57)【特許請求の範囲】
【請求項１】
ズーミングに従って光軸方向に移動されるシャッタブロックと、光軸方向に移動しないシャッタ制御部とを接続するシャッタ用ＦＰＣを配設する構造において、
上記シャッタ用ＦＰＣは、
ズーミングに伴う光軸方向へのシャッタブロックの移動量が異なる２つのズームレンズ鏡筒に共用されること；
その一端部にシャッタブロックとの接続部を有し、他端部にシャッタ制御部との接続部を有する、上記２つのズームレンズ鏡筒で共通の展開形状を有すること；
シャッタ制御部との接続部から鏡筒内径方向へ延設され光軸方向へ移動しない半径方向延出部を有すること；
上記シャッタブロックに接続する位置と、上記半径方向延出部に接続する位置とに、上記２つのズームレンズ鏡筒の一方に搭載されるときには一方が折り畳まれて固定されて他方が展開され、他方に搭載されるときにはこの関係を逆にして一方が展開され他方が折り畳まれて固定される２つの選択折畳部を有すること；
上記２つの選択折畳部は、シャッタブロックの移動量の大きいズームレンズ鏡筒に設けるとき、半径方向延出部との接続部側の選択折畳部が折り畳まれ、シャッタブロックの移動量の小さいズームレンズ鏡筒に設けるとき、シャッタブロックとの接続部側の選択折畳部が折り畳まれること；
上記２つの選択折畳部は、それぞれ展開した状態では互いの長さが異なっており、シャッタブロックの移動量が小さいズームレンズ鏡筒での選択折畳部の展開長は、シャッタブロックの移動量が大きいズームレンズ鏡筒での選択折畳部の展開長よりも長いこと；及び
上記２つの選択折畳部の間に、上記２つのズームレンズ鏡筒のいずれに搭載されても、ズームレンズ鏡筒の伸縮動作に応じて、中間部に形成される折返部位置を変化させる伸縮対応変形部が形成されること；
を特徴とするズームレンズ鏡筒のＦＰＣ配設構造。
【請求項２】
請求項１記載のＦＰＣ配設構造において、上記シャッタ用ＦＰＣの２つの選択折畳部のうちシャッタブロックとの接続部側の選択折畳部は、シャッタブロックの前方位置に形成され、光軸と略直交する方向へ向けて折り返された折返直線状部を有しているズームレンズ鏡筒のＦＰＣ配設構造。
【請求項３】
請求項２記載のＦＰＣ配設構造において、上記折返直線状部は光軸方向に重ねて複数形成されているズームレンズ鏡筒のＦＰＣ配設構造。
【請求項４】
請求項１記載のＦＰＣ配設構造において、上記シャッタ用ＦＰＣの２つの選択折畳部のうち上記半径方向延出部との接続部側の選択折畳部は、上記伸縮対応変形部を略延長した形状の延長直線状部と、該延長直線状部と反対方向に折り返された折返直線状部とを有し、該折返直線状部に続いて上記半径方向延出部が形成されているズームレンズ鏡筒のＦＰＣ配設構造。
【請求項５】
請求項１から４いずれか１項記載のＦＰＣ配設構造において、上記２つのズームレンズ鏡筒はそれぞれ、
カメラ本体に固定されたハウジング；及び
該ハウジングに対して光軸方向に移動可能で相対回転不能な、上記シャッタブロックを光軸方向に直進案内する直進筒；
を有し、
上記シャッタ用ＦＰＣの伸縮対応変形部は、シャッタブロック側から直進筒の内周面に沿って光軸後方に延設した第１直線状部と、シャッタ制御部側からハウジング内面に沿って光軸後方に延びる第２直線状部と、第１直線状部と第２直線状部とを接続し直進筒の後方に突出するＵ字状の折返部とを有するズームレンズ鏡筒のＦＰＣ配設構造。
【請求項６】
請求項１から５いずれか１項記載のＦＰＣ配設構造において、
上記シャッタ用ＦＰＣは、シャッタブロックとの接続部と上記半径方向延出部の間に、展開状態で直線状となる帯状部分を有し、上記２つの選択折畳部はそれぞれ、この帯状部分の両端部近傍の領域を選択的に折り畳むことによって形成されるズームレンズ鏡筒のＦＰＣ配設構造。
【発明の詳細な説明】
【０００１】
【技術分野】
本発明は、ズームレンズ鏡筒におけるＦＰＣ（フレキシブルプリント回路）の配設構造に関する。
【０００２】
【従来技術及びその問題点】
繰出式のズームレンズ鏡筒を有するカメラでは、繰出鏡筒内のシャッタブロックとカメラ本体側の制御部を、鏡筒の内周に沿わせたフレキシブルプリント回路（以下、ＦＰＣ）で接続している。このＦＰＣを異なる仕様のズームレンズ鏡筒で共用するとコストが抑えられて好ましいが、ズームレンズ鏡筒ではズーミングの際に鏡筒が光軸方向に伸縮動作する構造上、ＦＰＣは鏡筒の一定の伸縮に対応可能なように取り回しされており、鏡筒の仕様が異なる場合には共用化が難しかった。例えばシャッタブロックの繰出量が異なるズームレンズ鏡筒ではＦＰＣに対する支持長も異なるため、ＦＰＣを共用化すると、特に繰出量の小さいズームレンズ鏡筒でＦＰＣの長さが余って弛みが生じる可能性がある。弛みを除去するために引張機構などを別途設けると、結局コストが高くなってしまう。
【０００３】
【発明の目的】
本発明は、仕様の異なるズームレンズ鏡筒においても、簡単な構成で共通のＦＰＣを用いることが可能なＦＰＣ配設構造を提供することを目的とする。
【０００４】
【発明の概要】
本発明は、ズーミングに従って光軸方向に移動されるシャッタブロックと、光軸方向に移動しないシャッタ制御部とを接続するシャッタ用ＦＰＣを配設する構造に関しており、シャッタ用ＦＰＣを次のように配設したことを特徴としている。すなわち、シャッタ用ＦＰＣは、ズーミングに伴う光軸方向へのシャッタブロックの移動量が異なる２つのズームレンズ鏡筒に共用されること；その一端部にシャッタブロックとの接続部を有し、他端部にシャッタ制御部との接続部を有する、２つのズームレンズ鏡筒で共通の展開形状を有すること；シャッタ制御部との接続部から鏡筒内径方向へ延設され光軸方向へ移動しない半径方向延出部を有すること；シャッタブロックに接続する位置と、半径方向延出部に接続する位置とに、２つのズームレンズ鏡筒の一方に搭載されるときには一方が折り畳まれて固定されて他方が展開され、他方に搭載されるときにはこの関係を逆にして一方が展開され他方が折り畳まれて固定される２つの選択折畳部を有すること；２つの選択折畳部は、シャッタブロックの移動量の大きいズームレンズ鏡筒に設けるとき、半径方向延出部との接続部側の選択折畳部が折り畳まれ、シャッタブロックの移動量の小さいズームレンズ鏡筒に設けるとき、シャッタブロックとの接続部側の選択折畳部が折り畳まれること；２つの選択折畳部は、それぞれ展開した状態では互いの長さが異なっており、シャッタブロックの移動量が小さいズームレンズ鏡筒での選択折畳部の展開長は、シャッタブロックの移動量が大きいズームレンズ鏡筒での選択折畳部の展開長よりも長いこと；２つの選択折畳部の間に、２つのズームレンズ鏡筒のいずれに搭載されても、ズームレンズ鏡筒の伸縮動作に応じて、中間部に形成される折返部位置を変化させる伸縮対応変形部が形成されること；を特徴としている。該構成によれば、繰出量やＦＰＣに対する支持長が異なる別仕様のズームレンズ鏡筒であっても共通のシャッタ用ＦＰＣを用いることが可能であり、しかも、それぞれのズームレンズ鏡筒において、引張機構などを設けずとも、過不足ない長さの理想的な軌跡でシャッタ用ＦＰＣを配設することができる。
【０００５】
シャッタ用ＦＰＣにおける２つの選択折畳部のうちシャッタブロックとの接続部側の選択折畳部は、光軸と略直交する方向へ向けて折り返された折返直線状部を有するように、シャッタブロックの前方位置に形成されることが好ましい。このシャッタブロック前方位置における折返直線状部は、必要に応じて光軸方向に重ねて複数形成してもよい。
【０００６】
また、シャッタ用ＦＰＣの２つの選択折畳部のうち半径方向延出部との接続部側の選択折畳部は、伸縮対応変形部を略延長した形状の延長直線状部と、該延長直線状部と反対方向に折り返された折返直線状部とを有し、該折返直線状部に続いて半径方向延出部が形成されていることが好ましい。
【０００８】
以上のＦＰＣ配設構造では例えば、シャッタブロックの移動量が異なる２つのズームレンズ鏡筒がそれぞれ、カメラ本体に固定されたハウジングと、該ハウジングに対して光軸方向に移動可能で相対回転不能な、シャッタブロックを光軸方向に直進案内する直進筒とを有し、シャッタ用ＦＰＣの伸縮対応変形部は、シャッタブロック側から直進筒の内周面に沿って光軸後方に延設した第１直線状部と、シャッタ制御部側からハウジング内面に沿って光軸後方に延びる第２直線状部と、第１直線状部と第２直線状部とを接続し直進筒の後方に突出するＵ字状の折返部とを有することが好ましい。
【０００９】
また、シャッタ用ＦＰＣは、シャッタブロックとの接続部と半径方向延出部の間に、展開状態で直線状となる帯状部分を有し、２つの選択折畳部はそれぞれ、この帯状部分の両端部近傍の領域を選択的に折り畳むことによって形成されることが好ましい。
【００１０】
【発明の実施形態】
以下の実施形態では、ズーム範囲（撮像面に対する最大繰出量）の異なる２種類のズームレンズ鏡筒について説明するが、両ズームレンズ鏡筒は、一部の鏡筒構成部材の光軸方向サイズ等が互いに異なる他は、基本的な動作構造や部品点数は共通している。図６から図１１に示す断面図では、両ズームレンズ鏡筒で互いに対応する部材は同じ数字の符号を付しており、ズーム範囲の小さいタイプのズームレンズ鏡筒（１１Ａ）の構成部材には数字の後にＡ、ズーム範囲の大きいタイプのズームレンズ鏡筒（１１Ｂ）の構成部材には数字の後にＢを付している。以下の説明中、符号の後にＡまたはＢが付かない場合は、両ズームレンズ鏡筒１１Ａ、１１Ｂに共通する説明を行っているものとする。また、図１から図５の分解斜視図は、ズーム範囲の小さいタイプのズームレンズ鏡筒１１Ａに関するものであるが、斜視図では長いタイプのズームレンズ鏡筒１１Ｂも実質的に同様に表されるため、各部材を表す数字の符号の後には、鏡筒タイプを区別するための符号Ａ、Ｂは付していない。但し、図１及び図３については、外観上異なる部材（固定鏡筒１３）があるため、当該相違部分に関してのみ鏡筒タイプを区別する符号Ａを付してある。なお、以下の説明において、光軸方向あるいは光軸と平行な方向とは、カメラ完成状態における撮影レンズの撮影光軸Ｏに沿う方向を指すものとする。
【００１１】
まず、両ズームレンズ鏡筒１１Ａ、１１Ｂの全体構造と動作原理を説明する。ズームレンズカメラの本体部に固定されたハウジング１２の内側には、固定鏡筒１３が固定されている。この固定鏡筒１３の内周面には雌ヘリコイド１４が形成されており、さらに雌ヘリコイド１４の形成領域を一部切除して、光軸Ｏと平行な一対の直進案内溝１５が形成されている。
【００１２】
固定鏡筒１３には光軸方向へ長く切欠部が形成されていて、この切欠部に多連ピニオン１６が取り付けられる。多連ピニオン１６は、光軸Ｏと平行な回動中心で回動可能に支持され、そのピニオン部の歯面が固定鏡筒１３の内側に突出されている。ハウジング１２には、モータ支持板１７を介してズームモータ１８が設置されており、このズームモータ１８の駆動軸の回転は、ズームギヤ列１９を介して多連ピニオン１６に伝達される。
【００１３】
ズームモータ１８の駆動軸には複数のスリットが形成されたスリット円板２０が固定されており、このスリット円板２０の回転をフォトインタラプタ２１で検出することにより、ズームモータ１８の駆動量を検出することができる。ズームレンズ鏡筒１１の繰出及び収納動作量はズームモータ１８の駆動量に応じたものであるから、このスリット円板２０とフォトインタラプタ２１からなるパルス検出機構を用いて、後述するカムリング２５の回転角をパルス制御することができる。
【００１４】
固定鏡筒１３の雌ヘリコイド１４には、カムリング２５の外周面の後端付近に形成された雄ヘリコイド２６が螺合されている。雄ヘリコイド２６の光軸方向の幅は、カムリング２５の最大繰出時に外観に露出しない程度に形成されている。このカムリング２５にはさらに、雄ヘリコイド２６が形成された同一周面上に、雄ヘリコイド２６と平行な領域で複数の外周ギヤ部２７が設けられている。それぞれの外周ギヤ部２７の歯は光軸Ｏと平行な方向に形成されており、これに前述の多連ピニオン１６が噛合している。
【００１５】
カムリング２５の内部には、直進案内環（直進筒）２８が配設されている。直進案内環２８の後端部付近には半径方向外方に突出する外方フランジ２９を有し、さらに直進案内間２８の後端面には直進案内板３０が固定されている。この外方フランジ２９と直進案内板３０によって、カムリング２５後端部に設けた内方フランジ３１を挟むことによって、直進案内環２８はカムリング２５に対して、光軸方向には相対移動不能かつ相対回転は可能に結合される。
【００１６】
また直進案内板３０には、周方向に位置を異ならせて、半径方向外方に一対の直進案内突起３２が突設されている。それぞれの直進案内突起３２は、固定鏡筒１３に形成した前述の直進案内溝１５にそれぞれ摺動可能に係合している。従って、直進案内環２８及び直進案内板３０は、光軸方向にはカムリング２５と一体に移動されるが、撮影光軸Ｏを中心とする周方向には固定鏡筒１３に対する相対回転が規制されている。つまり直進案内されている。
【００１７】
以上のカムリング２５と直進案内環２８がズームレンズ鏡筒１１の第１の繰出段部を構成する。この第１繰出段部は、ズームモータ１８によって多連ピニオン１６が所定のレンズ繰出方向に回転されると、外周ギヤ部２７を介してカムリング２５が回転され、雌ヘリコイド１４と雄ヘリコイド２６の関係によって固定鏡筒１３からカムリング２５が回転しながら繰り出される。同時に、直進案内環２８とカムリング２５は相対回転可能に結合されているため、直進案内環２８は、固定鏡筒１３に対して直進案内されながらカムリング２５と共に撮影光軸に沿って移動する。
【００１８】
カムリング２５と直進案内環２８の間には、レンズ支持筒３５が位置している。レンズ支持筒３５の内側にはシャッタ取付環３６が固定され、シャッタ取付環３６の前端部にはシャッタブロック３７が固定されている。シャッタブロック３７はシャッタブレード３８を開閉させるためのシャッタ駆動モータ３４（図１３）を内蔵しており、シャッタ用ＦＰＣ（フレキシブルプリント回路）４４を介してＣＰＵ（シャッタ制御部）６０（図１３）から送られるシャッタ開閉信号に応じてシャッタブレード３８を開閉させることができる。このシャッタ用ＦＰＣ４４の配設構造については後述する。
【００１９】
シャッタブロック３７はさらに、１群レンズ枠３９を介して第１レンズ群Ｌ１を支持している。１群レンズ枠３９の外周面とシャッタブロック３７の内周面には、互いに螺合する調整ねじ２４が形成されており、第１レンズ枠３９は、シャッタブロック３７やレンズ支持筒３５に対して、調整ねじ２４に従って光軸方向位置を調整することができる。この光軸方向位置の調整の際には、１群レンズ枠３９とレンズ支持筒３５の間に設けたフリクション部材３３によって、１群レンズ枠３９の位置は安定させることができる。１群レンズ枠３９の位置が決まったら、例えば接着剤Ｐ（図６、図９にのみ示す）でレンズ支持筒３５に固定させる。よって鏡筒完成状態では、第１レンズ群Ｌ１はレンズ支持筒３５に固定され、レンズ支持筒３５と一体的に光軸方向へ移動されるようになる。
【００２０】
図１に示すように、直進案内環２８は、周面が３つの部分円筒状の直進案内部４０に分割された、不完全な筒型形状をなしている。一方、レンズ支持筒３５に固定されたシャッタ取付環３６には、それぞれが光軸Ｏと平行な方向へ向かう３つの第１直進案内溝４１と３つの第２直進案内溝４２が、周方向に交互に形成されている。このうち、それぞれの第１直進案内溝４１には、直進案内環２８の３つの直進案内部４０の各々が嵌合している。この直進案内溝４１と直進案内部４０との嵌合関係によって、シャッタ取付環３６とレンズ支持筒３５とシャッタブロック３７とは、光軸方向に直進案内される。
【００２１】
レンズ支持筒３５の後端付近の外周面には雄ヘリコイド４５が形成されており、この雄ヘリコイド４５は、カムリング２５の内周面に形成した雌ヘリコイド４６に螺合している。カムリング２５が回転すると雌ヘリコイド４６と雄ヘリコイド４５の螺合関係によって、直進案内環２８を介して直進案内されたレンズ支持筒３５が、カムリング２５（第１の繰出段部）に対して光軸方向に前後移動される。つまり、レンズ支持筒３５は、ズームレンズ鏡筒１１の第２段目の繰出段部を構成している。第１レンズ群Ｌ１は、このレンズ支持筒３５と共に光軸方向に移動する。
【００２２】
また、シャッタ取付環３６の第２直進案内溝４２には、第２レンズ群Ｌ２を支持する２群レンズ枠４７に設けた３つの直進案内部４８が光軸方向に摺動可能に嵌合している。この直進案内部４８と第２直進案内溝４２の嵌合関係により、２群レンズ枠４７は直進案内される。２群レンズ枠４７の各直進案内部４８からは、半径方向外方へ向けてカムローラ４９が突設されており、このカムローラ４９が、カムリング２５の内周面に形成した２群案内カム溝５０に摺動可能に嵌まっている。２群案内カム溝５０は撮影光軸Ｏに対して所定の傾斜を有しており、カムリング２５が回転したときには、該２群案内カム溝５０とカムローラ４９の関係によって、直進案内された２群レンズ枠４７がレンズ支持筒３５に対して光軸方向に前後移動される。つまり、カムリング２５が回転したときには、第２レンズ群Ｌ２は、２群案内カム溝５０の形状に従って、第１レンズ群Ｌ１に対して光軸方向に相対移動する。
【００２３】
本実施形態のズームレンズカメラは、テレ端からワイド端までを有限段数からなる複数の焦点距離ステップに分割し、各ステップにおいてカムリング２５の回転角を制御することによって、ズーミングを伴ってフォーカシング動作しながら無限遠（∞）から最短撮影距離（近）までの全ての被写体距離に合焦できるように設定した、いわゆるステップズームレンズカメラである。第１レンズ群Ｌ１は、ヘリコイドによって、カムリング２５の回転角（回転量）に対して線形の軌跡で光軸方向に移動される。一方、第２レンズ群Ｌ２は、ステップ内でこの第１レンズ群Ｌ１との相対間隔が変化してピント位置が変わるように、２群案内カム溝５０によって案内されている。カムリング２５の回転角は、被写体距離情報に基づきそのステップ内に存在する焦点距離との組み合わせで合焦するようにパルス制御される。
【００２４】
ワイド端からテレ端までの焦点距離の各ステップや鏡筒収納位置は、固定鏡筒１３の内周面に固定したコード板５１と、第１の繰出段部を構成する直進案内板３０に固定されたブラシ５２との摺接位置の変化によって、有限段数の距離情報として検出することができる。コード板５１はリード線５５を介してＣＰＵ６０に接続されており、固定鏡筒１３に対する直進案内板３０（第１の繰出段部）の光軸方向移動に応じてコード板５１とブラシ５２の摺接位置が変化すると焦点距離（ステップ）が検出される。ブラシ５２は、ブラシ押え板５３と固定ねじ５４を介して直進案内板３０に固定されている。
【００２５】
図１３に示すように、ズームレンズカメラ１０はさらに、ズーム操作部材６１、シャッタレリーズ部材６２、測距モジュール６３及び測光モジュール６４を備えており、これらの各部材はＣＰＵ６０に接続されている。ズーム操作部材６１は、ズームレンズ鏡筒１１にズーミング指令、すなわちワイド側からテレ側への移動指令、及びテレ側からワイド側への移動指令を与えるものである。シャッタレリーズ部材６２は、レリーズボタンから構成されるもので、その一段押しで測距モジュール６３への測距指令と測光モジュール６４への測光指令を与え、二段押しでシャッタブロック３７のシャッタ駆動モータ３４を動作させる。シャッタ駆動モータ３４は、測光モジュール６４からの測光出力を受けて、シャッタブレード３８を所定時間開放する。また、ＣＰＵ６０に接続するＲＯＭ（ＥＥＰＲＯＭ）６５が設けられている。
【００２６】
ＲＯＭ６５には、各焦点距離ステップ内において、無限遠撮影距離（∞）から最短撮影距離（近）の間の被写体への合焦位置にズームレンズ系を移動させるためのカムリング２５の回転角（パルス数）を求めるための演算式がメモリされている。
【００２７】
また、ズームレンズ鏡筒１１の前端部には、鏡筒収納状態で第１レンズ群Ｌ１の前方空間を閉じ、撮影状態で開く開閉バリヤ機構が設けられている。開閉バリヤ機構は、レンズ支持筒３５の前端付近に設けたバリヤ取付台７０に支持された一対のバリヤ羽根７１、該一対のバリヤ羽根７１を閉じ方向に付勢するバリヤ付勢ばね７２、バリヤ駆動環７３などを備えている。バリヤ駆動環７３は、ズームレンズ鏡筒１１を構成するレンズ支持筒３５の光軸方向の進退動作に応じて回転し、一対のバリヤ羽根７１を開閉させる。
【００２８】
レンズ支持筒３５の前方には、この開閉バリヤ機構の前部を覆う化粧板７５が設けられ、該化粧板７５の前面は化粧リング７６で覆われている。また、カムリング２５の前端部には別の化粧リング７７が装着されている。さらに、固定鏡筒１３の前部は、カメラの本体部を構成する前カバー７８で覆われている。
【００２９】
以上のステップズームレンズカメラのズームレンズ系は、次のように動作する。図６、図９の鏡筒収納状態あるいは図７、図１０のワイド端からズームモータ１８が繰出方向に駆動されると、固定鏡筒１３からカムリング２５が回転して繰り出され、直進案内環２８は、固定鏡筒１３によって直進案内されながらカムリング２５と共に前方へ移動する。カムリング２５が回転繰出されると、該カムリング２５の内周面とヘリコイド結合されかつ直進案内されたレンズ支持筒３５が、第１レンズ群Ｌ１と共にさらに光軸前方に移動される。同時に、第２レンズ群Ｌ２は、２群案内カム溝５０の案内によって、レンズ支持筒３５の内側を第１レンズ群Ｌ１とは異なる軌跡で移動する。よって、第１レンズ群Ｌ１と第２レンズ群Ｌ２は、互いの間隔を相対的に変化させつつ全体として光軸前方に移動され、ズーミングが行われる。図８、図１１のテレ端からズームモータ１８を収納方向に駆動させると、ズームレンズ鏡筒１１と各レンズ群Ｌ１、Ｌ２は鏡筒繰出時とは反対に動作する。
【００３０】
各焦点距離ステップでのフォーカシング動作は次のように制御される。ズーム操作部材６１を操作して以上の鏡筒繰出または収納動作が行われると、コード板５１とブラシ５２が摺接されて複数に分割された焦点距離ステップのいずれかが検出される。本実施形態では、各ステップの収納（ワイド端）側の所定位置にステップ検出位置が設定されていて、このステップ検出位置から少し繰り出た位置にフォーカシング時のパルスカウントの基準位置が設定されている。図示しないが、本ズームカメラは撮影光学系とは別にファインダ光学系を有しているため、ズーム操作の時点では合焦させる必要はない。よってズーム操作を解除すると、ズームレンズ鏡筒１１は、各ステップのパルスカウント基準位置よりも鏡筒収納方向の待機位置で停止する。
【００３１】
この待機状態においてレリーズボタンが半押しされ、測距モジュール６３による測距動作が行われるとＣＰＵ６０が被写体距離を検出する。すると、この被写体へ合焦する位置にズームレンズ系を移動させるためのカムリング２５の回転角が、ＲＯＭ６５内に格納された演算式に基づいてＣＰＵ６０により演算される。ここで演算されたカムリング２５の回転角度位置は、パルスカウント基準位置におけるカムリング２５の回転角度位置と比較され、カムリング２５を該基準位置から合焦用の回転角度位置まで駆動するために必要なズームモータ１８の駆動パルスが決定される。
【００３２】
ここでレリーズボタンが全押しされてシャッタレリーズ部材６２からオン信号が入力されると、ズームモータ１８を駆動してズームレンズ鏡筒１１を繰出方向に動作させ、ブラシ５２とコード板５１の接点接触時点、すなわちパルスカウント基準位置からズームモータ１８のパルスカウントを開始する。このパルスカウントは、前述のスリット円板２０とフォトインタラプタ２１を用いて行う。そして、先に演算により決定したパルス数が検出されるとズームモータ１８を停止してズームレンズ系を合焦位置に保持し、シャッタ駆動モータ３４によりシャッタブレード３８を開閉させて撮影が行われる。撮影後には、ズームレンズ鏡筒１１は再びステップごとの待機位置まで戻る。
【００３３】
なお、ここでは、シャッタレリーズ時に合焦動作を行うようにしているが、フォーカシングの駆動形態はこれには限定されず、例えば測距完了時点で合焦動作を行っても構わない。また、各ステップでのズームレンズ鏡筒の待機位置も以上の説明と異なっていてもよい。
【００３４】
【本発明の特徴部分の説明】
ズーム範囲が異なる２つのズームレンズ鏡筒を構成する場合、古典的なズームレンズ（ズーミング時には複数の変倍レンズ群を予め定めたズーミング軌跡で移動させてピント位置を移動させることなく焦点距離を変化させ、シャッタレリーズ時には被写体距離に応じてフォーカスレンズ群を移動させる）では、ズーム範囲の広い方のズームレンズの一部動作区間を用いないようにソフト的に制御してズーム範囲の小さいズームレンズを構成することができる。例えば、焦点距離がそれぞれ２８ｍｍ〜９０ｍｍ、２８ｍｍ〜１２０ｍｍのズームレンズを得ようとする場合、後者のテレ端側の一部動作区間を使わなければ、鏡筒の構成は同一で両方のズーム範囲をカバーできる。また、ステップズームレンズカメラでも、各ズームレンズで用いるステップ段数を異ならせれば、同一構成のズームレンズ鏡筒で異なるズーム範囲をカバーすることができる。例えば、ワイド端からテレ端までで分割されるステップ段数を、２８ｍｍ、３８ｍｍ、４５ｍｍ、６０、７０ｍｍの５つとしておき、一方のズームレンズでは全５段のステップを使い、他方のズームレンズでは７０ｍｍのステップを使わないようにソフト的に制御すれば、鏡筒の構成は同一で異なるズーム範囲をカバーできる。これらの場合、ズーム範囲が違っても鏡筒構成は同一なので、シャッタ用ＦＰＣは一種類だけ準備すればよい。
【００３５】
これに対し、ステップズームレンズカメラにおいて同じステップ段数で異なるズーム範囲をカバーしようとする場合や、ステップ毎の焦点距離が異なる場合には、ズームレンズの構成は同一にはできない。例えば、以上で全体構成を説明したズームレンズ鏡筒１１Ａは、ワイド端からテレ端までが３８ｍｍから７０ｍｍで、その間に２個所の中間位置計４つの焦点距離ステップに分割されたズームレンズを構成している。また、ズームレンズ鏡筒１１Ｂは、ワイド端からテレ端までが３８ｍｍから８０ｍｍで、その間に２個所の中間位置の計４つの焦点距離ステップに分割されたズームレンズを構成している。この場合、各鏡筒部材の光軸方向長さや鏡筒の繰出量などが、ズームレンズ鏡筒１１Ａとズームレンズ鏡筒１１Ｂでは異なってくる。詳細には、ズームレンズ鏡筒１１Ａとズームレンズ鏡筒１１Ｂでは、固定鏡筒１３、カムリング２５、直進案内環２８、レンズ支持筒３５の光軸方向長さが互いに異なっている。また、カムリング２５内の２群案内カム溝５０（５０Ａ、５０Ｂ）の形状も異なる。
【００３６】
ズームレンズ鏡筒１１Ａと１１Ｂでは、以上述べた以外の構成部品、例えば、撮影レンズ（第１レンズ群Ｌ１、第２レンズ群Ｌ２）やレンズ枠、シャッタブロック３７やシャッタ用ＦＰＣ４４などは共用させることができる。但し、図８と１１の比較から明らかなように、ズームレンズ鏡筒１１Ａと１１Ｂでは、最大繰出状態における、撮像面（焦点面）Ｆからのシャッタブロック３７の光軸方向位置が異なっており、テレ側の焦点距離が長いズームレンズ鏡筒１１Ｂの方が撮像面Ｆからの距離が遠い。換言すれば、ズームレンズ鏡筒１１Ｂの方が、ＣＰＵ６０あるいはハウジング１２の前端部からシャッタブロック３７までの、シャッタ用ＦＰＣ４４に対する支持長が長い。したがって、シャッタ用ＦＰＣ４４には、ズームレンズ鏡筒１１Ｂの最大繰出状態でシャッタブロック３７とＣＰＵ６０を接続可能な長さを持たせればよいことになるが、このシャッタ用ＦＰＣ４４をそのままテレ側の焦点距離が短いズームレンズ鏡筒１１Ａに配設したのでは長さが余ってしまう。本発明は、引張機構などを用いることなくシャッタ用ＦＰＣ４４の弛みを防ぎ、仕様の異なるズームレンズ鏡筒１１Ａと１１Ｂで共通の展開形状を有するシャッタ用ＦＰＣ４４を配設可能とさせるものである。
【００３７】
シャッタ用ＦＰＣ４４の配設構造のうち、まずズームレンズ鏡筒１１Ａと１１Ｂで共通する部分を説明する。図１２に示すように、シャッタ用ＦＰＣ４４は、シャッタブロック３７の前面に固定される環状部８０を有し、この環状部８０の外縁からは、光軸方向に長い帯状部８１が延設されている。帯状部８１の他端部には、ハウジング１２のＦＰＣ貼付面９０に固定されるべき幅広部８２が形成され、幅広部８２からはさらにＣＰＵ６０に接続するコネクタ部８３が延設されている。
【００３８】
シャッタ用ＦＰＣ４４の帯状部８１は、シャッタブロック３７の前端付近からその外周面に沿って光軸方向後方（撮像面Ｆ方向）へ延出されている。後方に延出された帯状部８１は、直進案内環２８の直進案内部４０の内周面と、シャッタ取付環３６及び２群レンズ枠４７の外面との間に沿って第１直線状部８４を形成する。詳細には、第１直線状部８４は、シャッタブロック３７の外周面に沿った後、シャッタ取付環３６の第１直進案内溝４１の底面に支持されて後方へ延び、さらに２群レンズ枠４７のリング状部分の外周面に沿って設置される。
【００３９】
続いて帯状部８１は、直進案内環２８の後端部に設けた直進案内板３０の後方へ突出するＵ字状折返部８５によって、直進案内環２８（直進案内板３０）やカムリング２５の後端部を跨いで光軸方向前方に向きを変える。固定鏡筒１３にはＦＰＣ逃がし孔９１が光軸方向に長く形成されており、Ｕ字状折返部８５から前方に向かう帯状部８１は、このＦＰＣ逃がし孔９１を通してハウジング１２の内周面に沿い、第２直線状部８６を形成している。帯状部８１はさらに、ハウジング１２の前端部で鏡筒半径方向外方に向きを変えて半径方向延出部８７を形成し、前述の幅広部８２に至る。固定鏡筒１３には、ハウジング１２の前端部に対向する位置に、シャッタ用ＦＰＣ４４の半径方向延出部８７を案内するガイド面９２が半径方向外方に向けて突設されている。
【００４０】
図６または図９の鏡筒収納状態では、帯状部８１は、第２直線状部８６の長さが概ね第１直線状部８４と同程度であり、この収納状態より鏡筒が若干繰り出されてワイド端ステップとなる図７または図１０の状態では、第２直線状部８６に対して第１直線状部８４が相対的に長くなる。さらに鏡筒が図８または図１１のテレ端ステップまで繰り出されると、第２直線状部８６の長さは最小となり、代わりに第１直線状部８４の長さが最大となる。Ｕ字状折返部８５は、第１の繰出段部を構成する直進案内環２８の後端位置の変化に応じて、光軸方向の位置を変化させる。このように、ズームレンズ鏡筒１１Ａと１１Ｂのいずれにおいても、第１直線状部８４と第２直線状部８６の長さの比率を変えることで、シャッタ用ＦＰＣ４４は鏡筒の伸縮動作に対応することができる。つまり、シャッタ用ＦＰＣ４４は、第１直線状部８４から第２直線状部８６までが、鏡筒の伸縮動作に応じてＵ字状折返部８５の位置を変化させて対応する伸縮対応変形部を構成している。この第１直線状部８４、Ｕ字状折返部８５及び第２直線状部８６を合わせた伸縮対応変形部の長さは、各ズームレンズ鏡筒１１Ａ、１１Ｂ内ではそれぞれ収納位置からテレ端まで、ズーム位置に関わらず一定である。一方、該伸縮対応変形部の長さはズームレンズ鏡筒１１Ａ、１１Ｂ相互では異なり、ズームレンズ鏡筒１１Ｂの方が長くなっている。
【００４１】
続いて、ズームレンズ鏡筒１１Ａと１１Ｂでの、シャッタ用ＦＰＣ４４の配設構造の相違部分を説明する。前述の伸縮対応変形部が長いズームレンズ鏡筒１１Ｂでは、シャッタブロック３７Ｂに接続する環状部８０から第１直線状部８４に移行する箇所で、帯状部８１は環状部８０近傍の折り位置Ｇ１でほぼ直角に光軸後方へ向けて山折りされており、シャッタ用ＦＰＣ４４はシャッタブロック３７の前面と外周面に沿ってほぼ遊びなく支持されている。また、ＣＰＵ６０に接続する側の、第２直線状部８６と半径方向延出部８７の間では、折り位置Ｇ３とＧ４でそれぞれ山折りと谷折りされて、撮影光軸Ｏに対して斜め前方に突出する中間折畳部（選択折畳部）９３が形成されている。中間折畳部９３は、概ね第２直線状部８６を延長した形状の延長直線状部９８と、この延長直線状部９８から折り位置Ｇ３で略反対方向に折り返しされた折返直線状部９９を有している。帯状部８１は、折返直線状部９９と半径方向延出部８７の間の折り位置Ｇ４で９０度近く折り曲げされ、鏡筒外のＣＰＵ６０に向かうように方向付けられている。固定鏡筒１３Ｂには、中間折畳部９３を突出させるための折畳部逃がし孔９４が形成されている。
【００４２】
中間折畳部９３の役割は次の通りである。図１１に示すように、ズームレンズ鏡筒１１Ｂでは、テレ端ステップで、第１の繰出段部（カムリング２５Ｂ）とハウジング１２Ｂが光軸方向においてほとんどオーバーラップしなくなり、実質的には第２直線状部８６がほとんど存在しなくなる。ここで、中間折畳部９３を設けないものと仮定すると、テレ端ステップから収納方向に鏡筒を動作させたときに、シャッタ用ＦＰＣ４４がハウジング１２Ｂと接する部分（図１１に符号Ｔで示す部分）に強い負荷（折曲力）がかかるおそれがある。これに対し、第２直線状部８６を延長した形状の中間折畳部９３を形成しておくと同部分Ｔでのシャッタ用ＦＰＣ４４の取り回しがスムーズになるので、ハウジング１２Ｂとの当接部分に強い負荷がかかるのを防ぐことができる。
【００４３】
このズームレンズ鏡筒１１Ｂに対し、最大繰出量が小さく、シャッタ用ＦＰＣ４４の伸縮対応変形部が短いズームレンズ鏡筒１１Ａは特に、シャッタブロック３７Ａ付近でのシャッタ用ＦＰＣ４４の取り回しが異なっている。具体的には、図６に示すように、環状部８０近傍の帯状部８１において、撮影光軸Ｏに接近する方向への第１折返直線状部９５が形成されるように、折り位置Ｇ１で前方へ向けて略１８０度の山折りがなされ、さらに撮影光軸Ｏから離れる方向への第２折返直線状部９６が形成されるように、折り位置Ｇ２で略１８０度の谷折りがなされている。第２折返直線状部９６は、折り位置Ｇ１に沿うようにしてシャッタブロック３７Ａの外周面側に導かれて、光軸方向後方へ延びる第１直線状部８４に連続していく。つまり、ズームレンズ鏡筒１１Ａでは、シャッタブロック３７Ａから第１直線状部８４に至るまでの間に、該シャッタブロック３７Ａの前方位置で複数回折り返しされたシャッタ用ＦＰＣ４４の前方折畳部（選択折畳部）９７が形成されている。この第１折返直線状部９５と第２折返直線状部９６を含む前方折畳部９７は、ズームレンズ鏡筒１１Ａが収納位置とテレ端ステップの間で伸縮してもその長さが変わらない。また、ズームレンズ鏡筒１１Ａでは、中間折畳部９３に相当する部分は形成されていない。
【００４４】
なお、図１２ではシャッタ用ＦＰＣ４４の折り位置Ｇ１〜Ｇ４を線状に表しているが、図６ないし図１１に示すように、実際には折り位置Ｇ１〜Ｇ４を基準にしてある程度緩やかに折り曲げられており、当該折り位置で断線しないようになっている。
【００４５】
以上の構成による作用は次の通りである。まず、ズームレンズ鏡筒１１Ａと１１Ｂでは鏡筒繰出長（ＦＰＣ支持長）が異なるため、繰出量が小さいズームレンズ鏡筒１１Ａで引張機構などを用いずに共通展開形状のシャッタ用ＦＰＣ４４の弛みを防ぐには、ズームレンズ鏡筒１１Ａ側での伸縮対応変形部（第１直線状部８４、Ｕ字状折返部８５、第２直線状部８６を合わせた長さ）を、ズームレンズ鏡筒１１Ｂ側よりも短くする必要がある。上記のズームレンズ鏡筒１１Ａの構成では、シャッタブロック３７Ａから延設されるシャッタ用ＦＰＣ４４の帯状部８１を、環状部８０からの延出後に直ちに光軸後方の伸縮対応変形部へ取り回すのでなく、シャッタブロック３７の前方空間において撮影光軸Ｏと直交する方向への複数の折返直線状部９５、９６が形成されるように折り畳んだ後で光軸後方に延設されるようにしている。ここで前方折畳部９７はズームレンズ鏡筒１１Ａの伸縮動作に関わらず折畳形状を維持するので、結果として伸縮対応変形部の長さをズームレンズ鏡筒１１Ｂよりも短くすることができる。つまり、ズームレンズ鏡筒１１Ｂに対応する長いシャッタ用ＦＰＣ４４であっても、簡単な構成によってズームレンズ鏡筒１１Ａで弛みなく併用させることができる。
【００４６】
なお、シャッタ用ＦＰＣ４４では、ズームレンズ鏡筒１１Ａに搭載するときに形成される前方折畳部９７の展開状態での全長（折返直線状部９５、９６と、その前後及び途中の曲げ部分の長さを合わせたもの）は、ズームレンズ鏡筒１１Ｂに搭載されるときに形成される中間折畳部９３の展開状態での全長（延長直線状部９８、折返直線状部９９と、その前後及び途中の曲げ部分の長さを合わせたもの）よりも長く形成されている。そのため、この前方折畳部９７と中間折畳部９３の長さの差によって、ズームレンズ鏡筒１１Ａとズームレンズ鏡筒１１Ｂにおける最大繰出量（ＦＰＣの支持長）の差があっても、両ズームレンズ鏡筒１１Ａ、１１Ｂ内でのシャッタ用ＦＰＣ４４の長さのバランスをとることができる。
【００４７】
また本実施形態では、中間折畳部９３はズームレンズ鏡筒１１Ｂにのみ形成され、ズームレンズ鏡筒１１Ａでは中間折畳部９３に相当する折り位置Ｇ３、Ｇ４は展開されているから、該ズームレンズ鏡筒１１Ａではこの中間折畳部９３の分は不要な長さとなる。そのため、ズームレンズ鏡筒１１Ａでシャッタ用ＰＣ４４に前方折畳部９７を形成するときには、この中間折畳部９３の長さ分が前方折畳部９７に含まれるようにしている。逆に言えば、ズームレンズ鏡筒１１Ａ側で選択的に形成される前方折畳部９７を、ズームレンズ鏡筒１１Ｂでは展開しているため、この展開された前方折畳部９７の一部長さを用いて中間折畳部９３のような別の位置の折畳部を形成することができる。
【００４８】
つまり、共通な展開形状のシャッタ用ＦＰＣ４４を仕様の異なるズームレンズ鏡筒１１Ａ、１１Ｂに配設するのに際して、適宜折畳部を形成し、あるいは該折畳部が展開されるようにしたので、いずれのズームレンズ鏡筒１１Ａ、１１Ｂにおいても最適な状態でシャッタ用ＦＰＣ４４を配設することが可能となった。
【００４９】
以上、図示実施形態に基づいて本発明を説明したが、本発明は実施形態に限定されるものではなく、発明の要点を逸脱しない限りにおいて適宜変更を加えることが可能である。
【００５０】
また、実施形態では、仕様が異なるズームレンズ鏡筒の例として、同ステップ数でズーム範囲の異なるステップズームレンズカメラに本発明を適用した。しかし、本発明を適用できるのはこのタイプのカメラに限定されない。例えば、古典的ズームレンズや使用するステップ数が異なるステップズームレンズカメラでは、ズーム範囲の広いズームレンズ鏡筒の一部動作領域を用いずにズーム範囲を狭くすれば、同一構成の鏡筒で異なるズーム範囲をカバーできると前述した。しかし、この場合、ズーム範囲の狭い方のズームレンズ鏡筒はそのズーム範囲に比して鏡筒収納長が大きくなってしまうので、カメラのコンパクト化という面からは、ズーム範囲が異なれば専用設計のズームレンズ鏡筒を用いることが好ましい。専用設計のズームレンズ鏡筒では必要とされるＦＰＣの長さ等の仕様が変わってくるが、シャッタ用ＦＰＣに折畳部を選択的に形成する本発明の構成を適用すれば、シャッタ用ＦＰＣを容易に共用化することができる。さらに本発明は、数値上のズーム範囲は同じであるが、鏡筒繰出量が異なる２つのズームレンズ鏡筒などにも適用可能である。
【００５１】
【発明の効果】
以上のように本発明のＦＰＣ配設構造によれば、仕様の異なるズームレンズ鏡筒においても、簡単な構成で共通のＦＰＣを用いることが可能である。
【図面の簡単な説明】
【図１】本発明を適用したズームレンズ鏡筒の一実施形態を示す分解斜視図である。
【図２】図１のズームレンズ鏡筒の一部を拡大して示す分解斜視図である。
【図３】図１のズームレンズ鏡筒の一部を拡大して示す分解斜視図である。
【図４】図１のズームレンズ鏡筒の一部を拡大して示す分解斜視図である。
【図５】図１のズームレンズ鏡筒の一部を拡大して示す分解斜視図である。
【図６】最大繰出量が小さいタイプのズームレンズ鏡筒における収納状態を示す上半断面図である。
【図７】図６のズームレンズ鏡筒のワイド端における上半断面図である。
【図８】図６のズームレンズ鏡筒のテレ端における上半断面図である。
【図９】最大繰出量が大きいタイプののズームレンズ鏡筒における収納状態を示す上半断面図である。
【図１０】図９のズームレンズ鏡筒のワイド端における上半断面図である。
【図１１】図９のズームレンズ鏡筒のテレ端における上半断面図である。
【図１２】共通長さのシャッタ用ＦＰＣを展開して示す図である。
【図１３】図１ないし図１１に機械的構成を示すズームレンズカメラの制御回路系を示すブロック図である。
【符号の説明】
１１（１１Ａ  １１Ｂ）  ズームレンズ鏡筒
１２（１２Ａ  １２Ｂ）  ハウジング
１３（１３Ａ  １３Ｂ）固定鏡筒
２５（２５Ａ  ２５Ｂ）  カムリング
２８（２８Ａ  ２８Ｂ）  直進案内環（直進筒）
３０（３０Ａ  ３０Ｂ）  直進案内板
３５（３５Ａ  ３５Ｂ）  レンズ支持筒
３６（３６Ａ  ３６Ｂ）  シャッタ取付環
３７（３７Ａ  ３７Ｂ）  シャッタブロック
３９（３９Ａ  ３９Ｂ）  １群レンズ枠
４４  シャッタ用ＦＰＣ
４７（４７Ａ  ４７Ｂ）  ２群レンズ枠
５０（５０Ａ  ５０Ｂ）  ２群案内カム溝
６０  ＣＰＵ（シャッタ制御部）
８０  環状部
８１  帯状部
８２  幅広部
８３  コネクタ部
８４  第１直線状部
８５  Ｕ字状折返部
８６  第２直線状部
８７  半径方向延出部
９０  ＦＰＣ貼付面
９１  ＦＰＣ逃がし孔
９２  ガイド面
９３  中間折畳部（選択折畳部）
９４  折畳部逃がし孔
９５  第１折返直線状部
９６  第２折返直線状部
９７  前方折畳部（選択折畳部）
９８  延長直線状部
９９  折返直線状部
Ｆ  撮像面
Ｇ１  Ｇ２  Ｇ３  Ｇ４  折り位置
Ｌ１  第１レンズ群
Ｌ２  第２レンズ群
Ｏ  撮影光軸
【図１】
0003782652.tif 000002
【図２】
0003782652.tif 000003
【図３】
0003782652.tif 000004
【図４】
0003782652.tif 000005
【図５】
0003782652.tif 000006
【図６】
0003782652.tif 000007
【図７】
0003782652.tif 000008
【図８】
0003782652.tif 000009
【図９】
0003782652.tif 000010
【図１０】
0003782652.tif 000011
【図１１】
0003782652.tif 000012
【図１２】
0003782652.tif 000013
【図１３】
0003782652.tif 000014